【手続補正書】
【提出日】平成28年9月29日(2016.9.29)
【手続補正１】
【補正対象書類名】明細書
【補正対象項目名】００３１
【補正方法】変更
【補正の内容】
【００３１】
【図１】本発明の第１の実施の形態によるコネクタを示す斜視図である。ここで、コネクタが固定される固定対象物（プリント回路基板）の一部を破線で描画している。
【図２】図１のコネクタを示す上面図である。
【図３】図１のコネクタを示す正面図である。ここで、コネクタの端子の近傍（破線で囲んだ部分）を拡大して描画している。
【図４】図１のコネクタを示す背面図である。ここで、端子の近傍（破線で囲んだ部分）を拡大して描画している。
【図５】図１のコネクタを示す底面図である。
【図６】図２のコネクタをＶＩ−ＶＩ線に沿って示す断面図である。ここで、コネクタが固定されるプリント回路基板の上面を破線で描画している。また、端子の第１接点部及び第２接点部の近傍（１点鎖線で囲んだ部分）を拡大して描画している。
【図７】本発明の第１の実施の形態による端子を示す上側斜視図である。
【図８】図７の端子を示す下側斜視図である。
【図９】図７の端子と、端子と接続した接続対象物（プリント回路基板）の一部とを一方の側から示す側面図である。
【図１０】図９の端子及びプリント回路基板を他方の側から示す側面図である。
【図１１】図９の端子及びプリント回路基板を示す上面図である。
【図１２】図９の端子及びプリント回路基板を示す底面図である。
【図１３】本発明の第２の実施の形態による端子を示す上側斜視図である。
【図１４】図１３の端子を示す下側斜視図である。
【図１５】図１３の端子と、端子と接続したプリント回路基板の一部とを示す側面図である。
【図１６】図１５の端子及びプリント回路基板を示す上面図である。
【図１７】図１５の端子及びプリント回路基板を示す底面図である。
【図１８】本発明の第３の実施の形態による端子を示す上側斜視図である。
【図１９】図１８の端子の第１端子と第２端子とを示す上側斜視図である。
【図２０】図１９の端子を示す下側斜視図である。
【図２１】図１９の端子と、端子と接続したプリント回路基板の一部とを示す側面図である。
【図２２】図２１の端子及びプリント回路基板を示す上面図である。ここで、第１接続部の端部の近傍（１点鎖線で囲んだ部分）を拡大して絶縁体を除いて描画している。
【図２３】本発明の第４の実施の形態による端子を示す上側斜視図である。
【図２４】図２３の端子を示す下側斜視図である。
【図２５】図２３の端子と、端子と接続したプリント回路基板の一部とを示す側面図である。
【図２６】本発明の第５の実施の形態による端子を示す上側斜視図である。
【図２７】図２６の端子を示す下側斜視図である。
【図２８】図２６の端子と、端子と接続した接続対象物（相手側コネクタ）の一部とを示す側面図である。ここで、第１端子の隠れた前脚部の上端を破線で描画している。
【図２９】図２８の端子とコネクタの一部とを示す上面図である。
【図３０】本発明の第６の実施の形態による端子を示す上側斜視図である。
【図３１】図３０の端子と、端子と接続したコネクタの一部とを示す正面図である。ここで、端子の第１端子の隠れた副部の輪郭を破線で描画している。
【図３２】図３１の端子及びコネクタを示す側面図である。
【図３３】本発明の第７の実施の形態による端子を示す上側斜視図である。
【図３４】図３３の端子と、端子と接続したコネクタの一部とを示す正面図である。
【図３５】特許文献１のクリップ端子と回路基板とを示す斜視図である。
【手続補正２】
【補正対象書類名】明細書
【補正対象項目名】００７３
【補正方法】変更
【補正の内容】
【００７３】
図１５から理解されるように、端子３００Ａは、端子３００（図７参照）と同様にプリント回路基板８００と接続する。このとき、端子３００Ａによっても、端子３００と同様の効果が得られる。更に、端子３００Ａの第１接点部４１２と第２接点部５４２とは、Ｙ方向（第２方向）において同じ位置にある。このため、端子３００Ａがプリント回路基板８００と接続したとき、第１接点部４１２と導電パッド８１０とのＸＹ平面上における接触位置は、第２接点部５４２と導電パッド８２０とのＸＹ平面上における接触位置と一致する。即ち、第１接点部４１２と第２接点部５４２とは、第１の実施の形態と比べて、導電パッド８１０及び導電パッド８２０と更に安定的に接触する。
【手続補正３】
【補正対象書類名】明細書
【補正対象項目名】００９３
【補正方法】変更
【補正の内容】
【００９３】
（第５の実施の形態）
図２６及び図２７に示されるように、本発明の第５の実施の形態による端子３００Ｄは、端子３００の被押上げ部３３０（図７参照）に対応する部位を有していない。即ち、端子３００Ｄは、第１接続部３２０Ｄのみからなる上部３１０Ｄを有している。また、端子３００Ｄは、連結部３９０と少し異なる連結部３９０Ｄを有している。連結部３９０ＤのＸ方向（第３方向）におけるサイズは比較的大きい。以上のように構成された第１接続部３２０Ｄは、ＸＺ平面において比較的に弾性変形し難い。端子３００Ｄは、以上の相違点を除き、端子３００と概ね同様な基本構造を有している。以下、主として、端子３００Ｄと端子３００との相違点について説明する。
【手続補正４】
【補正対象書類名】明細書
【補正対象項目名】０１０２
【補正方法】変更
【補正の内容】
【０１０２】
（第６の実施の形態）
図３０乃至図３２から理解されるように、本発明の第６の実施の形態による端子３００Ｅは、コネクタ１０（図１参照）と異なる基板コネクタ（図示せず）に収容される。基板コネクタは、ＸＹ平面（所定平面）に沿って延びるプリント回路基板８５０（図１参照）に固定される。端子３００Ｅは、基板コネクタに対して上方から挿入された接続対象物（相手側コネクタ）８００Ｅと接続する。即ち、端子３００Ｅの固定対象物はプリント回路基板であり、接続対象物は相手側コネクタである。
【手続補正５】
【補正対象書類名】明細書
【補正対象項目名】０１１８
【補正方法】変更
【補正の内容】
【０１１８】
端子３００Ｆは、端子３００Ｅ（図３０参照）と同様に、３つの部材から構成されている。より具体的には、端子３００Ｆは、導電体からなる第１端子４００Ｆと、導電体からなる第２端子５００Ｆと、端子３００Ｅと同様な絶縁体６００Ｅとを備えている。第１端子４００Ｆ、第２端子５００Ｆ及び絶縁体６００Ｅの夫々は、Ｙ方向（第２方向）と直交する平面上を延びている。絶縁体６００Ｅは、Ｙ方向において第１端子４００Ｆと第２端子５００Ｆとを融着により固定して一体化している。
【手続補正６】
【補正対象書類名】明細書
【補正対象項目名】０１２０
【補正方法】変更
【補正の内容】
【０１２０】
第２端子５００Ｆは、第１端子４００Ｆを、Ｚ方向（第３方向）と平行な軸を中心にして１８０°回転させた形状を有している。詳しくは、第２端子５００Ｆは、第２端子５００Ｅの主部５１０Ｅと異なる主部５１０Ｆを有する一方、第２端子５００Ｅと同様な副部５４０Ｅ及び連結部５９０Ｅを有している。主部５１０Ｆは、主部５１０Ｅと同様な第２接続部（弾性支持部）５６０Ｅを有する一方、第２被固定部５５０Ｅを有していない。第２接続部５６０Ｅには、第２接点部５４２Ｅが設けられている。第２端子５００Ｆは、第２被固定部５５０Ｅに代えて第２被固定部５５０Ｆを有している。第２被固定部５５０Ｆは、連結部５９０Ｅから前方に延びている。